(57)【特許請求の範囲】
【請求項１】
内周面の母線に沿ってカム溝を形成した外筒と、この外筒に回転自在に嵌合し、外端のキーガイド、中間の少なくとも１ヵ所における補強のための仕切板及び内端のテールプラグをリテーナーで連結し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものにおいて、各レバータンブラーを、略Ｃ字形で相互に重合するタンブラーＡとタンブラーＢとを組合わせたものとし、夫々一端を支軸に軸支されたタンブラーＡ、Ｂの内タンブラーＡには合鍵の鍵溝との係合部を形成すると共に、これを合鍵と干渉する方向に付勢し、また、タンブラーＢの自由端部外側端縁に解錠切欠を形成すると共に、タンブラーＡの合鍵側端縁との係合部と重合する部分を合鍵と干渉しないように成形し、一方、タンブラーＡ、Ｂの自由端部の相互に対向する面の一方に係合突部を、他方には支軸を中心とする円弧上に複数の係合凹部を夫々形成すると共に、係合凹部の形成角度位置を、合鍵の側端縁に形成された複数種類の深さの鍵溝に、タンブラーＡの係合部が夫々係合したときの係合突部と整合するように設定して、タンブラーＡ、Ｂが接合したとき係合突部が係合凹部の一つと係合し、以てタンブラーＡ、Ｂが一体的に連結されるようにし、他方、バックアップピンをその長さ方向に移動可能に案内すると共に、各タンブラーＢに対応して、タンブラーＢの自由側端縁部内側端縁を挟む第１及び第２フランジを形成し、以て、バックアップピンを長さ方向における一方に移動させることにより、タンブラーＢと対応するタンブラーＡとの係合を解いて新しい鍵違いを得るための操作を可能にし、新しい鍵違いを設定した後バックアップピンを長さ方向における他方に移動させることにより、タンブラーＡ、Ｂの係合突部と係合凹部とを係合させて新しい鍵違いを固定するようにしたことを特徴とする可変レバータンブラー錠。
【発明の詳細な説明】
【０００１】
【発明の属する技術分野】
この発明は、可変レバータンブラー錠に係り、特に、特別な工具を使用せずに簡単に鍵違いを変更できる新規な可変レバータンブラー錠に関する。
【０００２】
【従来の技術】
レバータンブラー錠は、図１及び図２に示すように、内周面の母線に沿ってカム溝１を形成した外筒２と、この外筒に回転自在に嵌合し、間隙を介して中心軸線方向に積層された複数の仕切板３、３を設けると共に、中心軸線に沿って鍵孔４を貫通させた内筒５と、この内筒５の母線に沿って延在し、内筒の外周部において半径方向に移動可能に案内されると共に、上記カム溝１と係合する外側縁が外方に突出する方向に付勢されたロッキングバー６とを有している。
【０００３】
また、仕切板の間の各スロット７に、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピン８に係止され、かつ自由端部外側端縁にロッキングバー６の内側縁を受入れる解錠切欠９を形成したレバータンブラー１１が挿設されている。
【０００４】
そして、これらのタンブラー群の夫々が鍵孔に挿通された合鍵の対応する鍵溝と係合したとき、各レバータンブラー１１の解錠切欠９がロッキングバー６の内側縁と整合する（図示せず）ように構成されている。
【０００５】
したがって、合鍵を鍵孔４に挿入して内筒５を外筒２内で相対的に回動させると、カム溝１とロッキングバー６との間に生じる楔作用による、ロッキングバー６の内筒中心軸方向への移動が可能になり、換言すればレバータンブラー錠は解錠状態となって内筒５は解錠方向に回動する。
【０００６】
なお、図１及び図２において、符号１２はレバータンブラー１１、１１の一端を共通に貫通してこれらを回動自在に支承する支軸を示す。
【０００７】
【発明が解決しようとする課題】
上記した構成のレバータンブラー錠は、作動の確実性及び使用感が優れていることから、住戸の錠前の主流になりつつある。
【０００８】
一方、他の型式の錠前、例えばピンタンブラー錠やディスクタンブラー錠においても同様であるが、タンブラーの形状及びこれに対応する合鍵の鍵溝の深さが機械的に定まるので、錠前の鍵違いを変えることができない、という恨みが残る。
【０００９】
そのため、例えばマンションやアパートの住人が変ったとき、前の住人が合鍵のスペアキーを作った場合、錠前の防犯性が損われることは明らかである。
【００１０】
しかしながら、貸室の住人が変った場合、或いは合鍵を紛失した場合に、その都度錠前を交換することは面倒かつ費用が掛かるので、実際には行われていないことは良く知られているとおりである。
【００１１】
そこで、この発明は、例えば貸室の住人が変った場合、簡単な操作で鍵違いを変更できる新規な可変レバータンブラー錠を提供することを目的としている。
【００１２】
【課題を解決するための手段】
上記の目的を達成するため、この発明は、内周面の母線に沿ってカム溝を形成した外筒と、この外筒に回転自在に嵌合し、外端のキーガイド、中間の少なくとも１ヵ所における補強のための仕切板及び内端のテールプラグをリテーナーで連結し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものにおいて、
各レバータンブラーを、略Ｃ字形で相互に重合するタンブラーＡとタンブラーＢとを組合わせたものとし、夫々一端を支軸に軸支されたタンブラーＡ、Ｂの内タンブラーＡには合鍵の鍵溝との係合部を形成すると共に、これを合鍵と干渉する方向に付勢し、また、タンブラーＢの自由端部外側端縁に解錠切欠を形成すると共に、タンブラーＡの合鍵側端縁との係合部と重合する部分を合鍵と干渉しないように成形し、一方、タンブラーＡ、Ｂの自由端部の相互に対向する面の一方に係合突部を、他方には支軸を中心とする円弧上に複数の係合凹部を夫々形成すると共に、係合凹部の形成角度位置を、合鍵の側端縁に形成された複数種類の深さの鍵溝に、タンブラーＡの係合部が夫々係合したときの係合突部と整合するように設定して、タンブラーＡ、Ｂが接合したとき係合突部が係合凹部の一つと係合し、以てタンブラーＡ、Ｂが一体的に連結されるようにし、他方、バックアップピンをその長さ方向に移動可能に案内すると共に、各タンブラーＢに対応して、タンブラーＢの自由側端縁部内側端縁を挟む第１及び第２フランジを形成し、以て、バックアップピンを長さ方向における一方に移動させることにより、タンブラーＢと対応するタンブラーＡとの係合を解いて新しい鍵違いを得るための操作を可能にし、新しい鍵違いを設定した後バックアップピンを長さ方向における他方に移動させることにより、タンブラーＡ、Ｂの係合突部と係合凹部とを係合させて新しい鍵違いを固定するようにしたことを特徴とする。
【００１３】
【実施例】
以下、この発明の一実施例を図３乃至図１２を参照して説明する。
図３及び図４において符号５は内筒を示し、図示の実施例における内筒５は、外端（図４で左端）のキーガイド１３、中間の少なくとも１ヵ所における補強のための仕切板３及び内端のテールプラグ１４をリテーナー１５で一体的に連結し、前記した従来のレバータンブラー錠の外筒と同様の構造の外筒２に回転自在に嵌合している。
【００１４】
なお、レバータンブラー錠における内筒の構造は、例えば特願２００１−１９７２２１の明細書に記載されているし、この発明の要旨ではないので、更に詳細な説明は省略する。
【００１５】
ちなみに、図示の実施例における内筒は、上記特願２００１−１９７２２１に記載されたものより仕切板の数が少ないが、それは後述する可動のバックアップピンのフランジと干渉することを防ぐためである。
【００１６】
そして、この発明における特徴的な構成は、レバータンブラー１１の夫々が、単一の部材ではなく、タンブラーＡ１１Ａと、タンブラーＢ１１Ｂの２部材に分割されていることである。
【００１７】
これらタンブラーＡ１１ＡとタンブラーＢ１１Ｂとは、図３に示すように、夫々全体の形状が略Ｃ字形の板状体で、相互に重合した状態で、一端（図３で上端）を支軸１２により回動自在に軸支されている。
【００１８】
タンブラーＡの鍵孔４に対向する側端縁の中央部には、図３に示すように、図示しない合鍵の鍵溝と係合する係合部１６を形成すると共に、タンブラーばね１７の弾力により、合鍵と干渉する方向に付勢されている。
【００１９】
また、タンブラーＢ１１Ｂの自由端部外側端縁には、前記解錠切欠９を形成すると共に、タンブラーＡの係合部１６と重合する部分は合鍵と干渉しないように成形されている。要するに、切り欠かれている。
【００２０】
一方、タンブラーＡ１１Ａの自由端のタンブラーＢ１１Ｂに対向する面に細いピン状の係合突部１８（図１０参照）が一体に形成されている。
【００２１】
これに対応して、タンブラーＢ１１Ｂの自由端部には、合鍵の鍵溝の深さの種類に対応して、支軸１２を中心とする円弧上に例えば４個の係合凹部１９、９が形成されている。
【００２２】
図示の実施例では、この係合凹部１９は上記係合突部と摺動可能に嵌合する穴として形成されている。
【００２３】
各係合凹部１９の支軸１２に対する角度位置は、合鍵の側端縁に形成された複数種類（図示の実施例では４種類）の深さの鍵溝に、タンブラーＡ１１Ａの係合部１６が夫々係合したときの係合突部と整合するように設定されている。
【００２４】
例えば、図３で一番右の係合凹部１９、すなわちタンブラーＡ１１Ａの係合突部１８と嵌合している係合凹部は、解錠切欠９の形成角度位置との関連で、合鍵の鍵溝の一の深さに対応しており、その一の深さの鍵溝とタンブラーＡ１１Ａの係合部１６が係合したとき、解錠切欠９とロッキングバー６の内側縁と整合するようにその角度位置が定められている。
【００２５】
同様にして、タンブラーＢ１１Ｂの他の係合凹部１９の角度位置は、合鍵の鍵溝の他の深さに対応している。
【００２６】
したがって、タンブラーＡ、Ｂ１１Ａ、１１Ｂが接合し、係合突部１８が係合凹部１９、１９の一つと嵌合（係合）したとき、両者は一体的に連結して、合鍵の鍵溝の一の深さに対応したレバータンブラーとして機能する。
【００２７】
なお、図示の実施例ではタンブラーＢ１１Ｂに係合凹部１９を形成するものとしたが、その理由は、タンブラーＡ１１Ａの自由端部の幅が小さく、これに小さなものでも穴を開けると強度が低下するためである。
【００２８】
しかしながら、係合突部１８の形状を例えば支軸１２を中心とする円の半径に沿う突条として、例えば塑性加工によりこれをタンブラーＢ１１Ｂに形成するものとし、これに対応する浅い溝をタンブラーＡ１１Ａに形成すれば、タンブラーＡ１１Ａに係合凹部１９を形成することができる。
【００２９】
他方、図４及び図８に示すように、バックアップピン８はその長さ方向に少し移動できるように案内されている。
【００３０】
また、この発明におけるバックアップピン８は、従来のものと異なり、一様な太さではなく、各タンブラーＢ１１Ｂに対応して、その両側に位置する第１及び第２フランジ２１、２２が一体に形成されている。
【００３１】
図示の実施例では、両端のものを除き、第１及び第２フランジ２１、２２が一体に結合されており、また、各タンブラーＢ１１Ｂの自由端部は、第１及び第２フランジ２１、２２により挟まれた状態にある。
【００３２】
上記のように構成されたこの発明の一実施例による可変タンブラー錠は、図３及び図４に示す施錠状態では、ロッキングバー６と解錠切欠９とは角度的に整合していない。
【００３３】
この状態で鍵孔内に合鍵を挿入すると、各タンブラー１１の係合部１６に合鍵の鍵溝が係合し、その結果全タンブラー１１、１１の解錠切欠９、９がロッキングバー６の内側縁と整合する。
【００３４】
すると、前記したレバータンブラー錠の作動原理により内筒５が回動できるようになるので、例えば図５及び図６に示す角度位置に迄内筒５を回動させる。
【００３５】
このときには、各レバータンブラー１１はロッキングバー６及び外筒２に拘束され、揺動できないので、合鍵を鍵孔から引抜くことはできない。
【００３６】
そこで、図８に示すようにバックアップピン８を内側から引き、これを室内側に少し移動させると、第１フランジ２１に押されてタンブラーＢ１１Ｂが内方に移動するので、図９及び図１０に示すように、係合突部１８が係合凹部から引抜かれてタンブラーＡ１１ＡとタンブラーＢ１１Ｂの係合が解ける。
【００３７】
図示の実施例では、このときタンブラーＡ１１ＡがタンブラーＢ１１Ｂの移動に従動しないように、図７及び図８に示すように、タンブラーＡ１１Ａの支持端部に一体に形成された拘束片２３をリテーナー１５に形成されたスリット２４に摺動可能に係合させている。
【００３８】
タンブラーＡ１１ＡとタンブラーＢ１１Ｂとの係合が解けると、合鍵と係合するタンブラーＢ１１Ｂが自由になって自由に揺動できるようになるので、それまで鍵孔に挿入されていた合鍵を引抜くことができる。
【００３９】
そうしたら、図９及び図１０に示すように、今までの合鍵とは異なる他の合鍵を鍵孔に挿入すると、タンブラーＡ１１Ａは新しい合鍵の鍵溝に対応する角度位置をとる。
【００４０】
具体的には、例えば図７及び図９に示すように、それまでタンブラーＢ１１Ｂの一番右の係合凹部１９と整合していた係合突部１８（図７参照）が、一番左の係合凹部１９と整合するに致る。
【００４１】
この状態でバックアップピン８を外方に移動させると、図１１及び図１２に示すように、選択された新しい組合わせによる係合突部１８と係合凹部１９とが相互に係合し、このようにしてレバータンブラー１１は新しい合鍵に対応したものとなり、従来の合鍵は使用不可能となり、新しい合鍵がこのレバータンブラー錠の合鍵となる。
【００４２】
【発明の効果】
以上の説明から明らかなように、この発明は、合鍵と係合するタンブラーＡと解錠切欠を形成したタンブラーＢとを係合突部及び係合凹部を介して係脱可能に結合したから、新しい合鍵によりタンブラーＡを倣わせる態様で新しいレバータンブラーを自動的に構成でき、このようにしてレバータンブラーの鍵違いを何時でも、簡単に変えることができる、という効果を奏する。
【００４３】
また、レバータンブラーを変換するには、単に内筒の回動途中で新しい合鍵を挿入し直すだけでよいので、特別な工具及び訓練無しでレバータンブラー錠の鍵違いを変えることができる、等種々な効果を奏する。
【図面の簡単な説明】
【図１】従来のレバータンブラー錠の一例を示す縦断面図。
【図２】その横断面図。
【図３】この発明の一実施例による可変レバータンブラー錠の横断面図で、施錠状態を示す。
【図４】その縦断面図。
【図５】この発明の一実施例による可変レバータンブラー錠の横断面図で、一の合鍵を挿入して内筒を回転させた状態を示す。
【図６】そのＡ−Ａ腺による縦断面図。
【図７】この発明の一実施例による可変レバータンブラー錠の横断面図で、一の合鍵を挿入して内筒を回転させ、更にバックアップピンを移動させてタンブラーＡ、Ｂの結合を解いた状態を示す。
【図８】そのＡ−Ａ腺による縦断面図。
【図９】この発明の一実施例による可変レバータンブラー錠の横断面図で、他の合鍵を挿入した状態を示す。
【図１０】そのＡ−Ａ腺による縦断面図。
【図１１】この発明の一実施例による可変レバータンブラー錠の横断面図で、他の合鍵を挿入してからバックアップピンを元の位置に戻し、タンブラーＡ、Ｂを新しい関係角度位置を保って結合した状態を示す。
【図１２】そのＡ−Ａ腺による縦断面図。
【符号の説明】
１  カム溝
２  外筒
４  鍵孔
５  内筒
６  ロッキングバー
８  バックアップピン
９  解錠切欠
１１  レバータンブラー
１１Ａ  タンブラーＡ
１１Ｂ  タンブラーＢ
１２  支軸
１３  キーガイド
１４  テールプラグ
１５  リテーナー
１６  係合部
１８  係合突部
１９  係合凹部
２１  第１フランジ
２２  第２フランジ
２３  拘束片
２４  スリット
【図１】
0004102558.tif 000002
【図２】
0004102558.tif 000003
【図３】
0004102558.tif 000004
【図４】
0004102558.tif 000005
【図５】
0004102558.tif 000006
【図６】
0004102558.tif 000007
【図７】
0004102558.tif 000008
【図８】
0004102558.tif 000009
【図９】
0004102558.tif 000010
【図１０】
0004102558.tif 000011
【図１１】
0004102558.tif 000012
【図１２】
0004102558.tif 000013